(57)【要約】【課題】浴槽防水パンを設置可能なユニットバスにおいて、浴槽架台を基準として浴槽の設置位置を規定することが可能となり、浴槽と洗い場床とをより正確な位置関係に配置することができる浴槽設置構造および浴槽設置方法を提供する。【解決手段】上面の所定位置にネジ取り付け部が形成された浴槽架台と、前記浴槽架台の上に設置され、前記ネジ取り付け孔の直上位置に貫通孔が配置された浴槽防水パンと、前記浴槽防水パンの上に取り付けられ、前記貫通孔を介して前記浴槽架台にネジ固定される浴槽載置ピースと、前記浴槽防水パンの上に設置され、前記浴槽載置ピースを基準にして水平方向の設置位置が規定される位置決め部を裏面に有する浴槽と、を備えたことを特徴とする浴槽設置構造が提供される。【選択図】図１
2010270531.tif 000002
【特許請求の範囲】
【請求項１】
上面の所定位置にネジ取り付け孔が形成された浴槽架台と、
前記浴槽架台の上に設置され、前記ネジ取り付け孔の直上位置に貫通孔を有する浴槽防水パンと、
前記浴槽防水パンの上に取り付けられ、前記貫通孔に挿通され前記ネジ取り付け孔に固定されるネジによって前記浴槽架台に対し固定される浴槽載置ピースと、
前記浴槽防水パンの上に設置され、前記浴槽載置ピースに対し固定されることにより水平方向の設置位置が規定される位置決め部を裏面に有する浴槽と、
を備えたことを特徴とする浴槽設置構造。
【請求項２】
前記ネジ取り付け孔、前記貫通孔、および前記浴槽載置ピースは、複数形成されており、
前記貫通孔の径は、前記ネジ取り付け孔の径よりも大きいことを特徴とする請求項１記載の浴槽設置構造。
【請求項３】
貫通孔を有する浴槽防水パンを浴槽架台の上に設置する際に、前記浴槽架台の上面に形成されたネジ取り付け孔の直上に位置するように前記貫通孔を配置し、
前記浴槽防水パンの上に浴槽載置ピースを固定する際に、前記貫通孔を介して前記浴槽載置ピースを前記浴槽架台の前記ネジ取り付け部にネジ固定し、
浴槽の裏面に設けられた位置決め部を前記浴槽載置ピースに対し固定することにより前記浴槽の水平方向の設置位置を規定することを特徴とする浴槽設置方法。
【発明の詳細な説明】
【技術分野】
【０００１】
本発明は、浴槽設置構造および浴槽設置方法に関し、具体的には浴槽防水パンを設置可能な浴槽設置構造および浴槽設置方法に関する。
【背景技術】
【０００２】
ユニットバスの中には、浴槽と、洗い場床と、バスエプロンと、が別体として分割されたものがある。このようなユニットバスでは、一般的に、浴槽と、洗い場床と、バスエプロンと、が施工現場にそれぞれ分割された状態で搬入され、その施工現場にて組み立てられる。このとき、浴槽と洗い場床との相対的な位置は、より正確に決定されることが好ましい。これは、浴槽と洗い場床とを正確な位置に取り付けることができないと、浴槽や洗い場床などに載置される壁パネルを正確な位置に取り付けることができないためである。浴室の壁パネルを正確な位置に取り付けることができないと、ユニットバス自体が歪んだり、隙間が発生して気密性や水密性が低下するため好ましくない。
【０００３】
あるいは、浴槽と洗い場床とを正確な位置に取り付けることができないと、バスエプロンを正確な位置に取り付けることができないおそれがある。バスエプロンは、一般的に、浴槽の側面を覆い隠すように、あるいは浴槽と洗い場床との間に形成される開口を塞ぐように取り付けられる。そのため、バスエプロンを正確な位置に取り付けることができないと、隙間が発生して気密性や水密性が低下したり、意匠性が低下するため好ましくない。
【０００４】
そこで、洗い場パンの裏側から延出された補強フレーム上に、別体の浴槽脚を介在させて別体の浴槽を固設する洗い場付き浴槽の設置構造がある（特許文献１）。特許文献１に記載された設置構造によれば、浴槽を補強フレーム上に載置し位置合わせをすることにより、補強フレームからみた浴槽の設置位置を決定することができる。しかしながら、浴槽防水パンが設置されるユニットバスにおいては、浴槽と浴槽架台（補強フレーム）との間に浴槽防水パンが介在することとなるため、特許文献１に記載された設置構造によれば、浴槽架台を基準として浴槽の設置位置を規定できないという問題がある。
【０００５】
また、浴槽載置用の防水パンを備えた浴室ユニットがある（特許文献２）。特許文献２に記載された浴室ユニットによれば、防水パンの軽量化や低廉化を図ることができ、また防水パンの設置や運搬作業を容易化することができる。しかしながら、浴槽と、洗い場床や浴槽架台（支持部材）と、の位置関係については、特許文献２には記載されていない。
【先行技術文献】
【特許文献】
【０００６】
【特許文献１】特開２００５−１６２６３号公報
【特許文献２】特開２００７−９２３４６号公報
【発明の概要】
【発明が解決しようとする課題】
【０００７】
本発明は、かかる課題の認識に基づいてなされたものであり、浴槽防水パンを設置可能としながらも、浴槽架台を基準として浴槽の設置位置を規定することが可能となり、浴槽と洗い場床とをより正確な位置関係に配置し、施工性をより向上させることができる浴槽設置構造および浴槽設置方法を提供する。
【課題を解決するための手段】
【０００８】
上記課題を解決するために本発明に係る浴槽設置構造は、上面の所定位置にネジ取り付け孔が形成された浴槽架台と、前記浴槽架台の上に設置され、前記ネジ取り付け孔の直上位置に貫通孔を有する浴槽防水パンと、前記浴槽防水パンの上に取り付けられ、前記貫通孔に挿通され前記ネジ取り付け孔に固定されるネジによって前記浴槽架台に対し固定される浴槽載置ピースと、前記浴槽防水パンの上に設置され、前記浴槽載置ピースに対し固定されることにより水平方向の設置位置が規定される位置決め部を裏面に有する浴槽と、を備えたことを特徴とする。
【０００９】
本発明では、浴槽防水パンを設置可能としながらも、浴槽の水平方向の設置位置を浴槽架台を基準として規定することが可能となり、浴槽と洗い場床とをより正確な位置関係に配置することができ、浴槽を設置する際の施工性を向上させることができる。
【００１０】
本願請求項２に係る浴槽設置構造では、前記ネジ取り付け孔、前記貫通孔、および前記浴槽載置ピースは、複数形成されており、前記貫通孔の径は、前記ネジ取り付け孔の径よりも大きいことを特徴とする。
【００１１】
浴槽防水パンは大型化しやすいため、複数の貫通孔を誤差無く所定の位置に形成することが困難である。この態様では、浴槽防水パンの貫通孔は、浴槽防水パンの寸法誤差に対応できるように、貫通孔の径は、ネジ取り付け孔の径よりも大きくすることにより、浴槽の水平方向の設置位置を浴槽架台を基準としてより正確に規定することができ、浴槽を設置する際の施工性をさらに向上させることができる。
【００１２】
本願請求項３に係る浴槽設置方法では、貫通孔を有する浴槽防水パンを浴槽架台の上に設置する際に、前記浴槽架台の上面に形成されたネジ取り付け孔の直上に位置するように前記貫通孔を配置し、前記浴槽防水パンの上に浴槽載置ピースを固定する際に、前記貫通孔を介して前記浴槽載置ピースを前記浴槽架台の前記ネジ取り付け部にネジ固定し、浴槽の裏面に設けられた位置決め部を前記浴槽載置ピースに対し固定することにより前記浴槽の水平方向の設置位置を規定することを特徴とする。
【００１３】
本発明では、浴槽防水パンが設置されるユニットバスにおいて、浴槽の水平方向の設置位置を浴槽架台を基準として規定することが可能となり、浴槽と洗い場床とをより正確な位置関係に配置することができる。
【発明の効果】
【００１４】
本発明によれば、浴槽防水パンを設置可能としながらも、浴槽架台を基準として浴槽の設置位置を規定することが可能となり、浴槽と洗い場床とをより正確な位置関係に配置し、施工性をより向上させることができる浴槽設置構造および浴槽設置方法が提供される。
【図面の簡単な説明】
【００１５】
【図１】本発明の実施の形態にかかる浴槽設置構造を備えたユニットバスを表す分解模式図である。
【図２】浴槽防水パンが設置されたユニットバスの浴槽載置ピースの近傍を拡大して眺めた断面模式図である。
【図３】浴槽防水パンが設置されていないユニットバスの浴槽載置ピースの近傍を拡大して眺めた断面模式図である。
【図４】本実施形態の浴槽載置ピースを表す斜視模式図である。
【図５】本実施形態にかかる浴槽設置方法を説明するための平面模式図である。
【図６】本実施形態にかかる浴槽設置方法を説明するための斜視模式図である。
【図７】浴槽の裏面に付設された位置決め部の近傍を拡大して眺めた拡大模式図である。
【図８】本実施形態の変形例にかかる浴槽設置構造を表す断面模式図である。
【図９】本変形例の浴槽載置ピースの近傍を拡大して眺めた断面模式図である。
【図１０】本変形例の浴槽防水パンを表す斜視模式図である。
【発明を実施するための形態】
【００１６】
以下、本発明の実施の形態について図面を参照しつつ説明する。なお、各図面中、同様の構成要素には同一の符号を付して詳細な説明は適宜省略する。  
図１は、本発明の実施の形態にかかる浴槽設置構造を備えたユニットバスを表す分解模式図である。
【００１７】
図１に表したユニットバスは、図示しない建物床に載置される洗い場床１００と、洗い場床１００に固定され図示しない建物床に載置される浴槽架台２００と、浴槽架台２００の上に載置される浴槽防水パン３００と、浴槽防水パン３００に水密的に取り付けられる浴槽載置ピース３６０と、浴槽防水パン３００の上に載置される浴槽４００と、を備える。また、図１に表したユニットバスでは、洗い場床１００と浴槽４００との間に、バスエプロン５００（図８参照）が設置される。
【００１８】
洗い場床１００は、支持脚１１０を有し、建物床の任意の位置に載置される。また、洗い場床１００の支持脚１１０は、いわゆる「アジャスタボルト」を有する。これにより、洗い場床１００の高さを調整することができる。  
浴槽架台２００は、ねじなどの締結部材や溶接や接着などにより洗い場床１００に適宜固定されている。浴槽架台２００は、洗い場床１００と同様に、支持脚２１０を有し、その支持脚２１０は、いわゆる「アジャスタボルト」を有する。これにより、浴槽架台２００の高さを調整することができる。また、浴槽架台２００は、ねじなどの締結部材６０１を通す貫通孔２２０を有する。これについては、後に詳述する。
【００１９】
浴槽防水パン３００は、底部３０１と、底部３０１の周縁部から上方に延在した側壁部３０２ａ、３０２ｂ、３０２ｃ、３０２ｄと、を有する。側壁部３０２ａ、３０２ｂ、３０２ｃの上端の高さは、浴槽防水パン３００の上に載置された浴槽４００の浴槽リム４０５の高さと略同じある。そのため、浴槽防水パン３００の側壁部３０２ａ、３０２ｂ、３０２ｃは、浴槽４００の側壁部４０２ａ、４０２ｂ、４０２ｃをそれぞれ覆うことができる。一方、側壁部３０２ｄの上端の高さは、浴槽防水パン３００の上に載置された浴槽４００の浴槽リム４０５の高さよりも低い。そのため、浴槽防水パン３００の側壁部３０２ｄは、浴槽４００の側壁部４０２ｄの一部を覆うことができる。なお、側壁部３０２ｄにより覆われない浴槽４００の側壁部４０２ｄの他部は、バスエプロン５００により覆われる。
【００２０】
これにより、浴槽防水パン３００は、例えば、給水源に接続された図示しない配管などから水が漏れた場合であっても、その漏水を受けることができる。つまり、浴槽防水パン３００は、浴槽架台２００や建物床などに水が漏れることをより確実に抑制することができる。なお、本願明細書において「水」という場合には、冷水のみならず、加熱されたお湯も含むものとする。また、浴槽防水パン３００は、底部３０１に設けられた貫通孔３１０を有する。すなわち、貫通孔３１０は、浴槽防水パン３００のうちの、浴槽架台２００の上面に対向する部分に設けられている。これについては、後に詳述する。
【００２１】
浴槽４００は、底部４０１と、底部４０１の周縁部から上方に延在した側壁部４０２ａ、４０２ｂ、４０２ｃ、４０２ｄと、上面あるいは上端を形成する浴槽リム４０５と、を有する。浴槽４００の裏面、すなわち底部４０１の浴槽架台２００側の面（下面）には、図１に表したように、浴槽４００の水平方向の設置位置を規定する位置決め部４１０が付設されている。なお、位置決め部４１０は、浴槽４００と別体ではなく、一体として形成されていてもよい。
【００２２】
また、浴槽載置ピース３６０は、浴槽防水パン３００に設けられた貫通孔３１０と、浴槽架台２００の設けられた貫通孔２２０と、を通して締結された締結部材６０１により浴槽防水パン３００を介して浴槽架台２００に固定される。そして、例えば作業者などは、位置決め部４１０と、浴槽載置ピース３６０と、を締結部材６０１で締結し固定することにより、浴槽架台２００を基準として浴槽４００の設置位置を規定することができる。これらのことについて、以下図面を参照しつつさらに詳細に説明する。
【００２３】
図２は、浴槽防水パンが設置されたユニットバスの浴槽載置ピースの近傍を拡大して眺めた断面模式図である。  
また、図３は、浴槽防水パンが設置されていないユニットバスの浴槽載置ピースの近傍を拡大して眺めた断面模式図である。  
なお、図２および図３は、図１に表したＡ−Ａ断面図に相当する。
【００２４】
浴槽架台２００の貫通孔２２０の下には、図２に表したように、ナット２３０が付設されている。ナット２３０は、溶接や接着などにより浴槽架台２００に予め固定されている。但し、これだけに限定されず、ナット２３０は、浴槽架台２００に予め固定されていなくともよい。
【００２５】
また、浴槽載置ピース３６０は、図２に表したように、締結部材６０１を通す貫通孔３６３を有する。貫通孔３６３の径は、締結部材６０１の径Ｄよりも大きく、浴槽防水パン３００に設けられた貫通孔３１０の径よりも小さい。より具体的には、貫通孔３６３の径は、締結部材６０１の径Ｄに比較的近く、浴槽防水パン３００に設けられた貫通孔３１０の径から比較的遠い。
【００２６】
そのため、浴槽載置ピース３６０の貫通孔３６３と、浴槽防水パン３００の貫通孔３１０と、浴槽架台２００の貫通孔２２０と、に締結部材６０１を通しナット２３０に締結することにより、浴槽載置ピース３６０は、浴槽防水パン３００を介して浴槽架台２００に位置決めされつつ固定される。つまり、浴槽載置ピース３６０の設置位置は、浴槽架台２００を基準として規定される。そして、ナット２３０に締結された締結部材６０１の周囲あるいは上方には、パッキンやシリコンなどの水密部材６０３が設けられている。水密部材６０３は、浴槽防水パン３００の貫通孔３１０を通して浴槽架台２００や建物床などに水が漏れることを抑制できる。
【００２７】
さらに、本実施形態においては、浴槽防水パン３００に設けられた貫通孔３１０の径は、締結部材６０１の貫通孔３６３を貫通する部分における径よりも大きく、また、締結部材６０１の浴槽架台２００との結合部における径よりも大きい。図２に表した具体例の場合、浴槽防水パン３００の貫通孔３１０は、締結部材６０１の径Ｄよりも十分に大きいため、浴槽架台２００を基準として規定される浴槽載置ピース３６０の設置位置には影響を及ぼさない。言い換えれば、浴槽防水パン３００の貫通孔３１０は、浴槽架台２００を基準として規定される浴槽載置ピース３６０の設置位置に影響を及ぼさない程度に大きい。あるいは、浴槽防水パン３００の貫通孔３１０は、浴槽載置ピース３６０の設置位置を浴槽架台２００を基準として規定できる程度に大きい。
【００２８】
例えば、締結部材６０１の径Ｄが６ミリメートルである場合には、浴槽防水パン３００の貫通孔３１０の径は、約１２ミリメートル程度である。あるいは、例えば、締結部材６０１の径Ｄが８ミリメートルである場合には、浴槽防水パン３００の貫通孔３１０の径は、約１６ミリメートル程度である。つまり、浴槽防水パン３００の貫通孔３１０の径は、締結部材６０１の径Ｄの約２倍程度である。
【００２９】
浴槽載置ピース３６０は、図２に表したように、締結部材６０１を通す貫通孔３６２をさらに有する。そして、浴槽載置ピース３６０の貫通孔３６２の近傍には、浴槽架台２００と同様に、ナット３６１が付設されている。ナット３６１は、溶接や接着などにより浴槽載置ピース３６０に予め固定されている。
【００３０】
位置決め部４１０は、図１に関して前述したように、浴槽４００の裏面、すなわち底部４０１の浴槽架台２００側の面（下面）に締結部材６０１により固定されている。位置決め部４１０は、図２に表したように、締結部材６０１を通す貫通孔４１５を有する。位置決め部４１０の貫通孔４１５は、浴槽載置ピース３６０の貫通孔３６３と同様に、締結部材６０１の径Ｄに比較的近い。そのため、位置決め部４１０の貫通孔４１５と、浴槽載置ピース３６０の貫通孔３６２と、に締結部材６０１を通しナット３６１に締結することにより、位置決め部４１０を有する浴槽４００は、浴槽載置ピース３６０に位置決めされつつ固定される。つまり、浴槽４００の水平方向の設置位置は、浴槽載置ピース３６０を基準として規定される。
【００３１】
ここで、浴槽載置ピース３６０を基準として規定される浴槽４００の水平方向とは、左右方向（図１参照）および前後方向（図１参照）の少なくともいずれかである。そのため、位置決め部４１０が有する貫通孔４１５は、上下方向に長手方向を有する長孔であって、左右方向の幅が締結部材６０１の径Ｄに比較的近い長孔であってもよい。これによれば、浴槽４００の上下方向の設置位置は、自由度を有しつつ、浴槽４００の水平方向の設置位置は、浴槽載置ピース３６０を基準として規定される。
【００３２】
一方、浴槽４００の上下方向の設置位置は、浴槽４００の底部４０１が浴槽防水パン３００の所定位置に載置されることにより規定される。これについては、後に詳述する。そして、浴槽載置ピース３６０と、位置決め部４１０と、の間には上下方向に間隙Ｂが存在する。すなわち、浴槽載置ピース３６０の上端は、位置決め部４１０には当接していない。そのため、浴槽４００の荷重は、浴槽載置ピース３６０にはあまりかからず、浴槽４００の底部４０１を載置する浴槽防水パン３００の所定位置に主としてかかる。これによれば、浴槽載置ピース３６０が浴槽４００の荷重により破損することを抑えることができる。
【００３３】
以上説明したように、位置決め部４１０を有する浴槽４００は、浴槽防水パン３００を介して浴槽架台２００に位置決めされた浴槽載置ピース３６０に、位置決めされつつ固定される。その結果、浴槽４００の水平方向の設置位置は、浴槽防水パン３００が設置されるユニットバスにおいても、浴槽載置ピース３６０を介して浴槽架台２００を基準として規定される。すなわち、浴槽架台２００からみた浴槽４００の水平方向の設置位置は、浴槽防水パン３００が設置されるユニットバスにおいても、浴槽載置ピース３６０を介して決定される。
【００３４】
さらに、浴槽架台２００は、図１に関して前述したように、締結部材や溶接や接着などにより洗い場床１００に適宜固定されている。そのため、浴槽４００の設置位置を浴槽架台２００を基準として規定することにより、浴槽４００と洗い場床１００とをより正確な位置関係に配置することができる。
【００３５】
一方、浴槽防水パン３００が設置されないユニットバスでは、図３に表したように、位置決め部４１０を浴槽架台２００の上に直接的に載置することができる。そのため、位置決め部４１０を有する浴槽４００は、浴槽架台２００に位置決めされつつ固定される。その結果、浴槽４００の水平方向の設置位置は、浴槽防水パン３００が設置されないユニットバスにおいても、浴槽架台２００を基準として規定される。
【００３６】
そして、浴槽架台２００は、締結部材や溶接や接着などにより洗い場床１００に適宜固定されているため、浴槽４００の設置位置を浴槽架台２００を基準として規定することにより、浴槽４００と洗い場床１００とをより正確な位置関係に配置することができる。なお、この場合には、締結部材６０１が浴槽架台２００の上面に接触しないように、位置決め部４１０に「ザクリ」などと呼ばれる凹部を設ける、あるいは浴槽架台２００の上面に凹部あるいは孔を設けることが好ましい。
【００３７】
本実施形態にかかる浴槽設置構造によれば、浴槽防水パン３００が設置されるユニットバスでも、浴槽防水パン３００が設置されないユニットバスでも、浴槽４００の水平方向の設置位置を浴槽架台２００を基準として規定することができる。そのため、浴槽４００と洗い場床１００とをより正確な位置関係に配置することができる。
【００３８】
次に、浴槽載置ピースおよび位置決め部の構造の詳細、並びに浴槽設置方法について、図面を参照しつつ説明する。  
まず、浴槽載置ピース３６０の構造の詳細について説明する。  
図４は、本実施形態の浴槽載置ピースを表す斜視模式図である。  
なお、図４（ａ）は、ナット３６１側からみた斜視模式図であり、図４（ｂ）は、ナット３６１とは反対側からみた斜視模式図である。
【００３９】
浴槽載置ピース３６０は、図４に表したように、浴槽防水パン３００に載置される基部３６６と、基部３６６と略直交する方向に延在し位置決め部４１０を固定する固定部３６７と、を有する。基部３６６には、例えば２つの貫通孔３６３が設けられている。この貫通孔３６３の設置位置は、浴槽架台２００の上面に設けられた貫通孔２２０の設置位置にそれぞれに対応している。そのため、図１および図２に表したように、浴槽載置ピース３６０の貫通孔３６３と、浴槽防水パン３００の貫通孔３１０と、浴槽架台２００の貫通孔２２０と、に締結部材６０１を通し締結することにより、浴槽載置ピース３６０を浴槽防水パン３００を介して浴槽架台２００に位置決めし固定することができる。なお、基部３６６に設けられた貫通孔３６３の設置数および設置位置は、図４に表した浴槽載置ピース３６０に限定されるわけではない。
【００４０】
固定部３６７には、貫通孔３６２が設けられている。また、固定部３６７における基部３６６側の面には、中心軸が貫通孔３６２の中心軸と略一致するようにナット３６１が付設されている。ナット３６１は、溶接や接着などにより固定部３６７に固定されている。そのため、図１および図２に表したように、位置決め部４１０の貫通孔４１５と、浴槽載置ピース３６０の貫通孔３６２と、に洗い場床１００側から締結部材６０１を通しナット３６１に締結することにより、位置決め部４１０を有する浴槽４００を浴槽載置ピース３６０に位置決めし固定することができる。
【００４１】
次に、浴槽設置方法について説明する。  
図５は、本実施形態にかかる浴槽設置方法を説明するための平面模式図である。  
なお、図５は、浴槽防水パン３００を介して浴槽架台２００に浴槽載置ピース３６０を固定した状態を上方から眺めた平面模式図である。
【００４２】
本実施形態にかかる浴槽設置方法では、まず、作業者は、浴槽防水パン３００を浴槽架台２００上に載置し、浴槽架台２００の直上に位置する部分に浴槽防水パン３００の貫通孔３１０を配置させる。より具体的には、浴槽防水パン３００を浴槽架台２００上に載置し、浴槽架台２００の貫通孔２２０と、浴槽防水パン３００の貫通孔３１０と、の位置を対応させる。このとき、浴槽架台２００の貫通孔２２０の中心軸と、浴槽防水パン３００の貫通孔３１０の中心軸と、が略一致していることがより好ましい。
【００４３】
続いて、作業者は、浴槽載置ピース３６０を浴槽防水パン３００上に載置し、浴槽載置ピース３６０の貫通孔３６３と、浴槽架台２００の貫通孔２２０と、の位置を対応させる。このときにも、浴槽架台２００の貫通孔２２０の中心軸と、浴槽載置ピース３６０の貫通孔３６３の中心軸と、が略一致していることがより好ましい。
【００４４】
続いて、作業者は、浴槽載置ピース３６０の貫通孔３６３と、浴槽防水パン３００の貫通孔３１０と、浴槽架台２００の貫通孔２２０と、に締結部材６０１を通しナット２３０（図２参照）に締結する。これにより、浴槽載置ピース３６０を浴槽防水パン３００を介して浴槽架台２００に固定することができる。このとき、図２に関して前述したように、貫通孔３６３の径は、締結部材６０１の径Ｄに比較的近いため、浴槽載置ピース３６０の貫通孔３６３に締結部材６０１を通して締結することにより、浴槽載置ピース３６０の設置位置を浴槽架台２００を基準として規定することができる。このようにして、浴槽載置ピース３６０が浴槽防水パン３００を介して浴槽架台２００に固定された状態は、図５に表した如くである。
【００４５】
図６は、本実施形態にかかる浴槽設置方法を説明するための斜視模式図である。  
また、図７は、浴槽の裏面に付設された位置決め部の近傍を拡大して眺めた拡大模式図である。
【００４６】
続いて、本実施形態にかかる浴槽設置方法では、作業者は、浴槽防水パン３００の上に浴槽４００を載置する。そして、位置決め部４１０の貫通孔４１５と、浴槽載置ピース３６０の固定部３６７に設けられた貫通孔３６２と、の位置を対応させる。このとき、位置決め部４１０の貫通孔４１５の中心軸と、浴槽載置ピース３６０の貫通孔３６２の中心軸と、が略一致していることがより好ましい。
【００４７】
ここで、浴槽４００の下側には、図６に表したように、支持脚４２０が付設されている。この支持脚４２０は、いわゆる「アジャスタボルト」を有する。これにより浴槽４００の高さを調整することができる。そして、浴槽４００を浴槽防水パン３００上に載置すると、支持脚４２０の下端部と、浴槽４００の底部４０１の下端部４０１ａは、浴槽防水パン３００に接触する。これによれば、支持脚４２０と、底部４０１の下端部４０１ａと、は浴槽４００の荷重を支えることができる。
【００４８】
また、浴槽４００の裏面には、図６に表したように、位置決め部４１０が付設されている。位置決め部４１０は、図７に表したように、浴槽４００の裏面に固定される基部４１１と、基部４１１と略直交する方向に延在し浴槽載置ピース３６０に固定される固定部４１３と、を有する。
【００４９】
位置決め部４１０は、図７に表したように、基部４１１において締結部材６０１により浴槽４００の裏面に固定されている。また、固定部４１３の端部には、浴槽４００からみて洗い場床１００側に湾曲したガイド部４１４が設けられている。そのため、位置決め部４１０の貫通孔４１５と、浴槽載置ピース３６０の貫通孔３６２と、の位置を対応させる際、浴槽４００に付設された位置決め部４１０は、ガイド部４１４により案内される。これにより、作業者は、位置決め部４１０の貫通孔４１５と、浴槽載置ピース３６０の貫通孔３６２と、の位置を楽に対応させることができる。なお、本実施形態の浴槽４００では、図６に表したように、２つの位置決め部４１０が浴槽４００の長手方向（左右方向）に離間して付設されている。但し、位置決め部４１０の設置数や設置位置については、これだけに限定されるわけではない。
【００５０】
続いて、作業者は、位置決め部４１０の貫通孔４１５と、浴槽載置ピース３６０の貫通孔３６２と、に締結部材６０１を通しナット３６１（図４参照）に締結する。これにより、位置決め部４１０を有する浴槽４００を浴槽載置ピース３６０に固定することができる。このとき、図２に関して前述したように、位置決め部４１０の貫通孔４１５は、締結部材６０１の径Ｄに比較的近いため、位置決め部４１０の貫通孔４１５に締結部材６０１を通して締結することにより、浴槽４００の水平方向の設置位置を浴槽載置ピース３６０を基準として規定することができる。
【００５１】
本実施形態にかかる浴槽設置方法によれば、浴槽防水パン３００を介して浴槽架台２００に位置決めされた浴槽載置ピース３６０に、浴槽４００を位置決めしつつ固定することができる。その結果、浴槽防水パン３００が設置されるユニットバスでも、浴槽防水パン３００が設置されないユニットバスでも、浴槽４００の水平方向の設置位置を浴槽架台２００を基準として規定することができる。そのため、浴槽４００と洗い場床１００とをより正確な位置関係に配置することができる。さらに、浴槽４００を設置する際の施工性を向上させることができる。
【００５２】
次に、本実施形態の変形例にかかる浴槽設置構造について、図面を参照しつつ説明する。  
図８は、本実施形態の変形例にかかる浴槽設置構造を表す断面模式図である。  
また、図９は、本変形例の浴槽載置ピースの近傍を拡大して眺めた断面模式図である。  また、図１０は、本変形例の浴槽防水パンを表す斜視模式図である。  
なお、図９は、図８に表した範囲Ｃの部分の拡大模式図に相当する。
【００５３】
本変形例の浴槽４００ａは、図８および図９に表したように、浴槽４００ａの裏側、すなわち底部４０１の浴槽架台２００側に凹部４０１ｂを有する。そして、この凹部４０１ｂには、図９に表したように、例えばゴムやパッキンなどの弾性体６０５が付設されている。本変形例では、図７に表したような位置決め部４１０は設けられていない。
【００５４】
また、本変形例の浴槽載置ピース３７０は、図１０に表したように、略直方体の形状を有する。つまり、浴槽載置ピース３７０は、図４に表した浴槽載置ピース３６０の基部３６６や固定部３６７などを有しているわけではなく、いわゆる「ブロック」の形状を有する。また、浴槽載置ピース３７０は、図９および図１０に表したように、上面に凹設部３７１を有し、その凹設部３７１の下部には、締結部材６０１を通す貫通孔３７３が設けられている。この貫通孔３７３の径は、締結部材６０１の径Ｄよりも大きく、浴槽防水パン３００に設けられた貫通孔３１０（図１参照）の径よりも小さい。より具体的には、貫通孔３７３の径は、締結部材６０１の径Ｄに比較的近く、浴槽防水パン３００に設けられた貫通孔３１０の径から比較的遠い。
【００５５】
そのため、浴槽載置ピース３７０の貫通孔３７３と、浴槽防水パン３００の貫通孔３１０と、浴槽架台２００の貫通孔２２０（図１参照）と、に締結部材６０１を通し締結することにより、浴槽載置ピース３７０は、浴槽防水パン３００を介して浴槽架台２００に位置決めされつつ固定される。つまり、浴槽載置ピース３７０の設置位置は、浴槽架台２００を基準として規定される。そして、浴槽載置ピース３７０の周囲あるいは凹設部３７１の内部には、シリコンなどの水密部材６０３が設けられている。水密部材６０３は、浴槽防水パン３００の貫通孔３１０を通して浴槽架台２００や建物床などに水が漏れることを抑制できる。
【００５６】
また、浴槽４００ａは、浴槽載置ピース３７０が凹部４０１ｂに挿入されるように、あるいは浴槽載置ピース３７０と凹部４０１ｂとが係合するように、浴槽載置ピース３７０上に載置されている。より具体的には、浴槽載置ピース３７０の外側と、凹部４０１ｂの内側と、が当接するように、浴槽４００ａは、浴槽載置ピース３７０に載置されている。これにより、浴槽４００ａの水平方向の設置位置は、浴槽載置ピース３７０を基準として規定される。
【００５７】
このとき、凹部４０１ｂに付設された弾性体６０５の下面と、浴槽載置ピース３７０の上面と、は当接している。つまり、凹部４０１ｂに付設された弾性体６０５は、浴槽載置ピース３７０上に載置されている。そのため、本変形例の浴槽載置ピース３７０は、浴槽４００ａの水平方向の設置位置を規定しつつ、浴槽４００ａの荷重を支えることができる。また、弾性体６０５は、例えばゴムやパッキンなどのように弾性を有するため、浴槽４００ａを設置するときの衝撃などを和らげることができる。
【００５８】
なお、本変形例の浴槽架台２００には、図２に表したようなナット２３０は設けられておらず、いわゆる「バーリング」などと呼ばれる加工処理により突出部が形成され、その突出部の内側の貫通孔２２０に雌ねじが形成されている。また、浴槽４００ａと浴槽載置ピース３７０とは、互いに固定されないため、水密性がより確保される位置において適宜固定される。その他の構造については、図１〜図７に関して前述した浴槽設置構造と同様である。
【００５９】
本変形例によれば、浴槽４００ａは、浴槽防水パン３００を介して浴槽架台２００に位置決めされた浴槽載置ピース３７０に、位置決めされつつ固定される。その結果、浴槽４００ａの水平方向の設置位置は、浴槽防水パン３００が設置されるユニットバスにおいても、浴槽載置ピース３７０を介して浴槽架台２００を基準として規定される。また、位置決め部４１０を別体として設ける必要がないため、浴槽４００ａを設置する際の施工性をより向上させることができる。さらに、浴槽載置ピース３７０は、浴槽４００ａの水平方向の設置位置を規定しつつ、浴槽４００ａの荷重を支えることができる。これにより、図６に表した支持脚４２０などを設ける必要はなくなり、浴槽４００ａの構造を簡略化することができる。また、その他の効果についても、図１〜図７に関して前述した効果と同様の効果を得ることができる。
【００６０】
以上説明したように、本実施形態によれば、浴槽防水パン３００が設置されるユニットバスでも、浴槽防水パン３００が設置されないユニットバスでも、浴槽４００の水平方向の設置位置を浴槽架台２００を基準として規定することができる。そのため、浴槽４００と洗い場床１００とをより正確な位置関係に配置することができる。さらに、浴槽４００を設置する際の施工性を向上させることができる。
【００６１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴槽防水パン３００や浴槽４００などが備える各要素の形状、寸法、材質、配置などや浴槽載置ピース３６０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６２】
１００ 洗い場床、  １１０ 支持脚、  ２００ 浴槽架台、  ２１０ 支持脚、  ２２０ 貫通孔、  ２３０ ナット、  ３００ 浴槽防水パン、  ３０１ 底部、  ３０２ａ、３０２ｂ、３０２ｃ、３０２ｄ 側壁部、  ３１０ 貫通孔、  ３６０ 浴槽載置ピース、  ３６１ ナット、  ３６２、３６３ 貫通孔、  ３６６ 基部、  ３６７ 固定部、  ３７０ 浴槽載置ピース、  ３７１ 凹設部、  ３７３ 貫通孔、  ４００ 、４００ａ 浴槽、  ４０１ 底部、  ４０１ａ 下端部、  ４０１ｂ 凹部、  ４０２ａ、４０２ｂ、４０２ｃ、４０２ｄ 側壁部、  ４０５ 浴槽リム、  ４１０ 位置決め部、  ４１１ 基部、  ４１３ 固定部、  ４１４ ガイド部、  ４１５ 貫通孔、  ４２０ 支持脚、  ５００ バスエプロン、  ６０１ 締結部材、  ６０３ 水密部材、  ６０５ 弾性体
【図１】
2010270531.tif 000003
【図２】
2010270531.tif 000004
【図３】
2010270531.tif 000005
【図４】
2010270531.tif 000006
【図５】
2010270531.tif 000007
【図６】
2010270531.tif 000008
【図７】
2010270531.tif 000009
【図８】
2010270531.tif 000010
【図９】
2010270531.tif 000011
【図１０】
2010270531.tif 000012